【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
指向性アンテナの適応に使用するための測定を行なう方法であって、
フォワードリンク電力制御ループへの影響を最小化する占有時間で電力制御ビット（ＰＣＢ）を受信する間に、アンテナの走査角度を現在の走査角度から少なくとも１つの試行走査角度に一時的に変更させる変更工程と、
各試行走査角度についての試行時測定指標を判定する判定工程と、
この試行時測定指標に基づいて次の走査角度を選択する選択工程とを備えた測定方法。
【請求項２】
請求項１において、前記試行時測定指標が、
ＣＤＭＡシステムのフォワードリンクのパイロット信号、
制御チャネルのパラメータ、
割り当てられたトラフィック・チャネルのパラメータ、または
任意のフォワードリンク・チャネルのパラメータの少なくとも１つの関数である測定方法。
【請求項３】
請求項１において、さらに、
アンテナの現在の走査角度についての現在の測定指標を判定する判定工程と、
試行時測定指標の一部を現在の測定指標と比較することによって次の走査角度を選択する工程とを備えた測定方法。
【請求項４】
請求項１において、さらに、
試行走査角度に対して複数の試行時測定指標を判定する判定工程と、
これら複数の試行時測定指標を考慮して次の走査角度を選択する選択工程とを備えた測定方法。
【請求項５】
請求項４において、さらに、前記複数の試行時測定指標を平均化または累積化する測定方法。
【請求項６】
請求項１において、さらに、時分割複信（ＴＤＤ）システムにおいて現在の走査角度の品質を判断するためにフォワードリンクからの情報を利用する利用工程を備えた測定方法。
【請求項７】
請求項１において、さらに、
各試行走査角度において信号を送信し、これら試行走査角度に対応する測定指標を基地局から受信する送信受信工程と、
リバース経路における次の走査角度を選択するために、受信した測定指標を使用する使用工程とを備えた測定方法。
【請求項８】
請求項７において、前記測定方法が周波数分割複信（ＦＤＤ）または時分割複信（ＴＤＤ）システムで使用される測定方法。
【請求項９】
請求項１において、前記測定方法がＴＤＤシステムで使用され、各試行走査角度において、さらに、
信号を基地局に送信する送信工程を備え、
試行時測定指標の判定が、基地局からの試行時測定指標の受信を含む測定方法。
【請求項１０】
請求項１において、さらに、受信したチャネル・パラメータを判定する工程と、受信したチャネル・パラメータに基づいて試行走査パラメータを変化させる工程とを備えた測定方法。
【請求項１１】
請求項１０において、前記試行走査パラメータが、走査速度または適応速度を含む測定方法。
【請求項１２】
請求項１０において、前記受信したチャネル・パラメータが、パイロット品質測定指標、受信信号強度、ＳＮＲ、Ｅｃ／Ｉｏ、Ｅｂ／Ｎｏ、信号電力の変動、パイロット位相の変化、または、これらのいずれか１つもしくは組み合わせの統計的測定、の少なくとも１つを含む測定方法。
【請求項１３】
請求項１０において、前記受信したチャネル・パラメータが、自動利得制御（ＡＧＣ）のレベル交差レートまたは変動である測定方法。
【請求項１４】
請求項１０において、前記受信したチャネル・パラメータが、相関パイロット信号の包絡線のレベル交差レート、相関パイロット信号の包絡線の変動、相関パイロット信号の包絡線の統計的関数、パイロット信号のコード位相のスルー・レート、パイロット信号の位相、パイロット信号の変動、またはパイロット信号の変化の速度、の少なくとも１つを含むパイロット・チャネル受信パラメータに基づく測定方法。
【請求項１５】
請求項１において、さらに、
方向選択が無益である場合を検出する検出工程と、
適応アンテナを無指向性モードに設定する設定工程とを含む測定方法。
【請求項１６】
請求項１において、フィールド・ユニット、基地局、またはアクセス端末で使用される測定方法。
【請求項１７】
指向性アンテナの適応に使用するための測定を行なう装置であって、
フォワードリンク電力制御ループへの影響を最小化する占有時間で電力制御ビット（ＰＣＢ）を受信する間に、指向性アンテナの走査角度を現在の走査角度から少なくとも１つの試行走査角度に一時的に変更させる走査コントローラと、
この走査コントローラに接続され、各試行走査角度についての試行時測定指標を測定するプロセッサと、
このプロセッサに接続され、前記試行時測定指標に基づいて次の走査角度を選択する選択ユニットとを備えた測定装置。
【請求項１８】
請求項１７において、前記測定指標が、
ＣＤＭＡシステムのフォワードリンクのパイロット信号、
制御チャネルのパラメータ、
割り当てられたトラフィック・チャネルのパラメータ、または
任意のフォワードリンク・チャネルのパラメータの少なくとも１つの関数である測定装置。
【請求項１９】
請求項１７において、前記プロセッサが指向性アンテナの現在の走査角度についての現在の測定指標を測定し、前記選択ユニットが試行時測定指標の一部を現測定指標と比較することによって次の走査角度を選択する測定装置。
【請求項２０】
請求項１７において、前記プロセッサが試行走査角度に対して複数の試行時測定指標を測定し、選択ユニットがこれら複数の試行時測定指標を考慮して次の走査角度を選択する測定装置。
【請求項２１】
請求項２０において、前記プロセッサが前記複数の試行時測定指標を平均化または累積化する演算ユニットを備えた測定装置。
【請求項２２】
請求項１７において、前記プロセッサが時分割複信（ＴＤＤ）システムにおいて、走査角度の品質を判断するために選択された走査角度を使用する測定装置。
【請求項２３】
請求項１７において、さらに、
各試行走査角度において信号を送信し、これら試行走査角度に対応する測定指標を基地局から受信する無線送受信機を備え、
この無線送受信機に接続された前記プロセッサが、リバース経路における次の走査角度を選択するために、受信した測定指標を使用する測定装置。
【請求項２４】
請求項１７において、周波数分割複信（ＦＤＤ）または時分割複信（ＴＤＤ）システムで使用される測定装置。
【請求項２５】
請求項１７において、ＴＤＤシステムで使用され、各試行走査角度において、前記プロセッサが信号を基地局に送信し、応答として基地局からの試行時測定指標を受信する測定装置。
【請求項２６】
請求項１７において、前記プロセッサがチャネル・パラメータを受信し、受信したチャネル・パラメータに基づいて試行走査パラメータを変化させる測定装置。
【請求項２７】
請求項２６において、前記試行走査パラメータが、走査速度または適応速度を含む測定装置。
【請求項２８】
請求項２６において、前記受信したチャネル・パラメータが、パイロット品質測定指標、受信信号強度、ＳＮＲ、Ｅｃ／Ｉｏ、Ｅｂ／Ｎｏ、信号電力の変動、パイロット位相の変化、または、これらのいずれか１つもしくは組み合わせの統計的測定、の少なくとも１つを含む測定装置。
【請求項２９】
請求項２６において、前記受信したチャネル・パラメータが、自動利得制御（ＡＧＣ）のレベル交差レートまたは変動である測定装置。
【請求項３０】
請求項２６において、前記受信したチャネル・パラメータが、相関パイロット信号の包絡線のレベル交差レート、相関パイロット信号の包絡線の変動、相関パイロット信号の包絡線の統計的関数、パイロット信号のコード位相のスルー・レート、パイロット信号の位相、パイロット信号の変動、またはパイロット信号の変化の速度、の少なくとも１つを含むパイロット・チャネル受信パラメータに基づく測定装置。
【請求項３１】
請求項１７において、前記プロセッサが、（i）方向選択が無益である場合を決定し、（ii）前記適応アンテナを無指向性モードに入るようにする測定装置。
【請求項３２】
請求項１７において、フィールド・ユニット、基地局、またはアクセス端末で使用される測定装置。